(57)【要約】【課題】像保持体、現像装置及び露光装置の本体への取り付け精度を向上させることができる画像形成装置を提供する。【解決手段】一面側に開口部を有し、前記開口部の下方で、それぞれ互いに離隔した２点一対の孔部からなる、第１の被位置決め部、第２の被位置決め部、第３の被位置決め部が形成された本体と、像保持体を支持し本体に装着されたときに第１の被位置決め部に位置決めされる像保持体ユニットと、第２の被位置決め部に位置決めされ像保持体を露光する露光ヘッドと、本体に装着されたときに第３の被位置決め部に位置決めされ、露光ヘッドによって像担持体に形成された静電潜像を現像する現像ユニットと、を含み、第２の被位置決め部が、第１の位置決め部及び／又は第３の被位置決め部よりも本体の上下方向における上方に形成されている。【選択図】図２
2015152671.tif 000002
【特許請求の範囲】
【請求項１】
一面側に開口部を有し、前記開口部の下方で、それぞれ互いに離隔した２点一対の孔部からなる、第１の被位置決め部、第２の被位置決め部、第３の被位置決め部が形成された本体と、
像保持体を支持し前記本体に装着されたときに前記第１の被位置決め部に位置決めされる像保持体ユニットと、
前記第２の被位置決め部に位置決めされ前記像保持体を露光する露光ヘッドと、
前記本体に装着されたときに前記第３の被位置決め部に位置決めされ、前記露光ヘッドによって前記像担持体に形成された静電潜像を現像する現像ユニットと、を含み、
前記第２の被位置決め部が、前記第１の位置決め部及び／又は前記第３の被位置決め部よりも前記本体の上下方向における上方に形成されている、
ことを特徴とする画像形成装置。
【請求項２】
前記第２の被位置決め部が、前記第１の位置決め部の前記互いに離隔した２点一対の孔部の少なくとも一方よりも前記本体の上下方向における上方に形成されている、
ことを特徴とする請求項１に記載の画像形成装置。
【請求項３】
前記第２の被位置決め部が、前記第３の位置決め部の前記互いに離隔した２点一対の孔部の少なくとも一方よりも前記本体の上下方向における上方に形成されている、
ことを特徴とする請求項１に記載の画像形成装置。
【請求項４】
前記第２の被位置決め部が、前記第１の位置決め部の前記互いに離隔した２点一対の孔部の少なくとも一方及び前記第３の位置決め部の前記互いに離隔した２点一対の孔部の少なくとも一方よりも前記本体の上下方向における上方に形成されている、
ことを特徴とする請求項１に記載の画像形成装置。
【請求項５】
前記第１の位置決め部の前記互いに離隔した２点一対の孔部の少なくとも一方及び／又は前記第３の位置決め部の前記互いに離隔した２点一対の孔部の少なくとも一方が、前記第２の被位置決め部の前記互いに離隔した２点一対の孔部が形成された前記本体の水平方向の範囲内に形成されている、
ことを特徴とする請求項１ないし４のいずれか１項に記載の画像形成装置。
【請求項６】
前記像保持体ユニット及び前記現像ユニットが、前記本体に装着されるときのそれぞれの軸方向において、前記露光ヘッドと重なり合って位置決めされる、
ことを特徴とする請求項１ないし５のいずれか１項に記載の画像形成装置。
【発明の詳細な説明】
【技術分野】
【０００１】
本発明は、画像形成装置に関する。
【背景技術】
【０００２】
回転する像保持体を有し本体に取り付けられる像保持体モジュールと、像保持体を露光する露光部を有する露光部材と、露光部の光軸方向である第１の方向および像保持体の軸線方向である第２の方向の双方に直交する第３の方向における当該像保持体に対する露光部材の位置を決める位置決め手段とを備え、位置決め手段は、本体に取り付けられた像保持体モジュールを基準として露光部材の第２の方向の一端側を位置決めし、本体を基準として露光部材の第２の方向の他端側を位置決めする画像形成装置が知られている（特許文献１）。
【０００３】
回転可能に配設される像担持体と、像担持体の軸方向に沿って複数の発光素子が配列され、当該複数の発光素子を用いて当該像担持体を露光する発光アレイと、発光アレイによって像担持体に形成された静電潜像を現像する現像器とを含み、発光アレイを用いて像担持体を露光する軸方向の露光位置が、像担持体の回転軸と現像器を構成する部材とを通る直線上にある画像形成装置も知られている（特許文献２）。
【先行技術文献】
【特許文献】
【０００４】
【特許文献１】特開２００９−１１９８０４号公報
【特許文献２】特開２００５−２５０３６９号公報
【発明の概要】
【発明が解決しようとする課題】
【０００５】
本発明は、像保持体、現像装置及び露光装置の本体への取り付け精度を向上させることができる画像形成装置を提供することを目的とする。
【課題を解決するための手段】
【０００６】
前記課題を解決するために、請求項１に記載の画像形成装置は、
一面側に開口部を有し、前記開口部の下方で、それぞれ互いに離隔した２点一対の孔部からなる、第１の被位置決め部、第２の被位置決め部、第３の被位置決め部が形成された本体と、
像保持体を支持し前記本体に装着されたときに前記第１の被位置決め部に位置決めされる像保持体ユニットと、
前記第２の被位置決め部に位置決めされ前記像保持体を露光する露光ヘッドと、
前記本体に装着されたときに前記第３の被位置決め部に位置決めされ、前記露光ヘッドによって前記像担持体に形成された静電潜像を現像する現像ユニットと、を含み、
前記第２の被位置決め部が、前記第１の位置決め部及び／又は前記第３の被位置決め部よりも前記本体の上下方向における上方に形成されている、
ことを特徴とする。
【０００７】
請求項２記載の発明は、請求項１に記載の画像形成装置において、
前記第２の被位置決め部が、前記第１の位置決め部の前記互いに離隔した２点一対の孔部の少なくとも一方よりも前記本体の上下方向における上方に形成されている、
ことを特徴とする。
【０００８】
請求項３記載の発明は、請求項１に記載の画像形成装置において、
前記第２の被位置決め部が、前記第３の位置決め部の前記互いに離隔した２点一対の孔部の少なくとも一方よりも前記本体の上下方向における上方に形成されている、
ことを特徴とする。
【０００９】
請求項４記載の発明は、請求項１に記載の画像形成装置において、
前記第２の被位置決め部が、前記第１の位置決め部の前記互いに離隔した２点一対の孔部の少なくとも一方及び前記第３の位置決め部の前記互いに離隔した２点一対の孔部の少なくとも一方よりも前記本体の上下方向における上方に形成されている、
ことを特徴とする。
【００１０】
請求項５記載の発明は、請求項１ないし４のいずれか１項に記載の画像形成装置において、
前記第１の位置決め部の前記互いに離隔した２点一対の孔部の少なくとも一方及び／又は前記第３の位置決め部の前記互いに離隔した２点一対の孔部の少なくとも一方が、前記第２の被位置決め部の前記互いに離隔した２点一対の孔部が形成された前記本体の水平方向の範囲内に形成されている、
ことを特徴とする。
【００１１】
請求項６記載の発明は、請求項１ないし５のいずれか１項に記載の画像形成装置において、
前記像保持体ユニット及び前記現像ユニットが、前記本体に装着されるときのそれぞれの軸方向において、前記露光ヘッドと重なり合って位置決めされる、
ことを特徴とする。
【発明の効果】
【００１２】
請求項１に記載の発明によれば、本構成を有しない場合に比して、像保持体ユニット、現像ユニット及び露光ヘッドを本体の前面側から精度よく位置決めすることができる。
請求項２ないし４に記載の発明によれば、本構成を有しない場合に比して、本体の小型化を達成しつつ、像保持体ユニット、現像ユニット及び露光ヘッドの本体への取り付け精度を向上させることができる。
請求項５に記載の発明によれば、本構成を有しない場合に比して、像保持体ユニット、現像ユニット及び露光ヘッドの本体への取り付けを安定化させることができる。
請求項６に記載の発明によれば、本構成を有しない場合に比して、本体を小型化することができる。
【図面の簡単な説明】
【００１３】
【図１】画像形成装置１の内部構成を示す断面模式図である。
【図２】感光体ユニット３０、現像ユニット４０、露光ヘッドＬＨからなる画像形成部の構成を示す断面模式図である。
【図３】感光体ユニット３０、現像ユニット４０、露光ヘッドＬＨが画像形成装置１に取り付けられた内部状態を示す斜視図である。
【図４】感光体ユニット３０、現像ユニット４０、露光ヘッドＬＨが取り付けられて位置決めされる本体フレーム１００の斜視図である。
【図５】本体フレーム１００に形成された被位置決め部の構成と配置を示す部分拡大図である。
【図６】本体フレーム１００に形成された被位置決め部の水平方向における配置を示す部分拡大図である。
【図７】各感光体ユニット３０、現像ユニット４０が画像形成装置１に取り付けられた画像形成部の外観正面図である。
【発明を実施するための形態】
【００１４】
次に図面を参照しながら、以下に実施形態及び具体例を挙げ、本発明を更に詳細に説明するが、本発明はこれらの実施形態及び具体例に限定されるものではない。
また、以下の図面を使用した説明において、図面は模式的なものであり、各寸法の比率等は現実のものとは異なることに留意すべきであり、理解の容易のために説明に必要な部材以外の図示は適宜省略されている。
尚、以後の説明の理解を容易にするために、図面において、前後方向をＸ軸方向、左右方向をＹ軸方向、上下方向をＺ軸方向とする。
【００１５】
（１）画像形成装置の全体構成及び動作
図１は本実施形態に係る画像形成装置１の内部構成を示す断面模式図である。
以下、図面を参照しながら、画像形成装置１の全体構成及び動作を説明する。
【００１６】
画像形成装置１は、制御装置１０、給紙装置２０、感光体ユニット３０、現像ユニット４０、転写ユニット５０、定着装置６０、を備えて構成されている。画像形成装置１の上面（Ｚ方向）には、画像が記録された用紙が排出・収容される排出トレイ１ａが形成されている。
【００１７】
制御装置１０は、画像形成装置１の動作を制御する画像形成装置制御部１１と、印刷処理要求に応じた画像データを準備するコントローラ部１２、露光ヘッドＬＨの点灯を制御する露光制御部１３、電源装置１４等を有する。電源装置１４は、後述する帯電ローラ３２、現像ローラ４２、一次転写ローラ５２、二次転写ローラ５３等に高圧電圧を印加するとともに、露光ヘッドＬＨ、給紙装置２０、定着装置６０及び備えられた各センサ等に電力を供給する。
【００１８】
コントローラ部１２は、外部の情報送信装置（例えばパーソナルコンピュータ等）から入力された印刷情報を潜像形成用の画像情報に変換して予め設定されたタイミングで、駆動信号を露光ヘッドＬＨに出力する。本実施形態の露光ヘッドＬＨは、複数の発光素子（ＬＥＤ：Light  Emitting  Diode）が主走査方向に沿って線状に配列されたＬＥＤヘッドにより構成されている。
【００１９】
画像形成装置１の底部には、給紙装置２０が設けられている。給紙装置２０は、用紙積載板２１を備え、用紙積載板２１の上面には多数の記録媒体としての用紙Ｐが積載される。用紙積載板２１に積載され、規制板（不図示）で幅方向位置が決められた用紙Ｐは、上側から１枚ずつ用紙引き出し部２２により前方（−Ｘ方向）に引き出された後、レジストローラ対２３のニップ部まで搬送される。
【００２０】
感光体ユニット３０は、給紙装置２０の上方（Ｚ方向）に、それぞれが並列して設けられ、回転駆動する像保持体としての感光体ドラム３１を備えている。感光体ドラム３１の回転方向に沿って、帯電ローラ３２、露光ヘッドＬＨ、現像ユニット４０、一次転写ローラ５２、クリーニングブレード３４が配置されている。帯電ローラ３２には、帯電ローラ３２の表面をクリーニングするクリーニングローラ３３が対向、接触して配置されている。
【００２１】
現像ユニット４０は、内部に現像剤が収容される現像ハウジング４１を有する。現像ハウジング４１内には、感光体ドラム３１に対向して配置された現像ローラ４２と、この現像ローラ４２の背面側斜め下方には現像剤を現像ローラ４２側へ撹拌搬送する一対のオーガ４４、４５が配設されている。現像ローラ４２には、現像剤の層厚を規制する層規制部材４６が近接配置されている。
現像ユニット４０各々は、現像ハウジング４１に収容される現像剤を除いて略同様に構成され、それぞれがイエロー（Ｙ）、マゼンタ（Ｍ）、シアン（Ｃ）、黒（Ｋ）のトナー像を形成する。
【００２２】
回転する感光体ドラム３１の表面は、帯電ローラ３２により帯電され、露光ヘッドＬＨから出射する潜像形成光により静電潜像が形成される。感光体ドラム３１上に形成された静電潜像は現像ローラ４２によりトナー像として現像される。
【００２３】
転写ユニット５０は、各感光体ユニット３０の感光体ドラム３１にて形成された各色トナー像が多重転写される中間転写ベルト５１、各感光体ユニット３０にて形成された各色トナー像を中間転写ベルト５１に順次転写（一次転写）する一次転写ローラ５２を備えている。さらに、中間転写ベルト５１上に重畳して転写された各色トナー像を記録媒体である用紙Ｐに一括転写（二次転写）する二次転写ローラ５３、中間転写ベルト５１上に付着している残留トナーを除去する中間転写ベルトクリーナ５４を備えて構成されている。
【００２４】
各感光体ユニット３０の感光体ドラム３１に形成された各色トナー像は、画像形成装置制御部１１により制御される電源装置１４等から所定の転写電圧が印加された一次転写ローラ５２により中間転写ベルト５１上に順次静電転写（一次転写）され、各色トナーが重畳された重畳トナー像が形成される。
【００２５】
中間転写ベルト５１上の重畳トナー像は、中間転写ベルト５１の移動に伴って二次転写ローラ５３が配置された領域（二次転写部ＴＲ）に搬送される。重畳トナー像が二次転写部ＴＲに搬送されると、そのタイミングに合わせて給紙装置２０から用紙Ｐが二次転写部ＴＲに供給される。そして、二次転写ローラ５３には、画像形成装置制御部１１により制御される電源装置１４等から所定の転写電圧が印加され、レジストローラ対２３から送り出され、搬送ガイドにより案内された用紙Ｐに中間転写ベルト５１上の多重トナー像が一括転写される。
【００２６】
感光体ドラム３１表面の残留トナーは、クリーニングブレード３４により除去され、廃トナー回収容器（不図示）に回収される。感光体ドラム３１の表面は、帯電ローラ３２により再帯電される。尚、クリーニングブレード３４で除去しきれず帯電ローラ３２に付着した残留物は、帯電ローラ３２に接触して回転するクリーニングローラ３３表面に捕捉され、蓄積される。
【００２７】
定着装置６０は加熱モジュール６１と加圧モジュール６２を有し、加熱モジュール６１と加圧モジュール６２の圧接領域によって定着ニップ部Ｎ（定着領域）が形成される。
転写装置５０においてトナー像が転写された用紙Ｐは、トナー像が未定着の状態で搬送ガイドを経由して定着装置６０に搬送される。定着装置６０に搬送された用紙Ｐは、一対の加熱モジュール６１と加圧モジュール６２により、圧着と加熱の作用でトナー像が定着される。
定着トナー像が形成された用紙Ｐは、搬送ガイド６５ａ、６５ｂによってガイドされ、排出ローラ対６９から画像形成装置１上面の排出トレイ１ａに排出される。
【００２８】
（２）感光体ユニット、現像ユニット、露光ユニットの取り付け構造
図２は感光体ユニット３０、現像ユニット４０、露光ヘッドＬＨからなる画像形成部の構成を示す断面模式図、図３は感光体ユニット３０、現像ユニット４０、露光ヘッドＬＨが画像形成装置１に取り付けられた内部状態を示す斜視図、図４は感光体ユニット３０、現像ユニット４０、露光ヘッドＬＨが取り付けられて位置決めされる本体フレーム１００の全体斜視図、図５は本体フレーム１００に形成された被位置決め部の構成と配置を示す部分拡大図、図６は本体フレーム１００に形成された被位置決め部の水平方向における配置を説明するための部分拡大図、図７は各感光体ユニット３０、現像ユニット４０が画像形成装置１に取り付けられた画像形成部の外観正面図である。
以下、図面を参照しながら感光体ユニット３０、現像ユニット４０、露光ヘッドＬＨの取り付け構造について説明する。
【００２９】
（２．１）画像形成部の構成
図２に示すように、感光体ユニット３０、現像ユニット４０、露光ヘッドＬＨからなる画像形成部は中間転写ベルト５１の下方で感光体ドラム３１を中心に、帯電ローラ３２と現像ローラ４２、露光ヘッドＬＨが配置されて構成されている。
【００３０】
露光ヘッドＬＨは感光体ドラム３１の表面に近接した状態で後述する本体フレーム１００の第２の被位置決め部１０２に固定されている。
感光体ドラム３１を含む感光体ユニット３０、現像ローラ４２を含む現像ユニット４０は、それぞれ露光ヘッドＬＨを軸方向に両側から挟むようにして本体フレーム１００に対して、第１の被位置決め部１０１、第３の被位置決め部１０３に固定されている。
【００３１】
感光体ユニット３０及び現像ユニット４０は、定められた画像形成枚数に基づいて都度交換される。一方、露光ヘッドＬＨは、故障等が発生しない限り画像形成装置１の定められた装置寿命まで使用される。
そのために、画像形成部において、露光ヘッドＬＨは、感光体ユニット３０及び現像ユニット４０と軸方向で重なった状態で本体フレーム１００に第２の被位置決め部１０２で固定され、感光体ユニット３０及び現像ユニット４０は露光ヘッドＬＨが本体フレーム１００に固定された状態で、使用者が着脱可能で固定されている。
【００３２】
（２．２）感光体ユニット及び現像ユニットの着脱
図３に示すように、画像形成装置１の本体フレーム１００には、フロント側（図３中  Ｙ方向）から各感光体ユニット３０、各現像ユニット４０が装着（図３中  矢印Ｒ１）されて固定されている。
また、各感光体ユニット３０、各現像ユニット４０の上方には転写ユニット５０が装着されている。
【００３３】
各感光体ユニット３０は、本体フレーム１００に対してフロント側から着脱され、本体フレーム１００には固定ノブＮＢでフロントカバー３０Ａを介して固定される。
同様に、現像ユニット４０も、本体フレーム１００に対してＹ方向に着脱され、本体フレーム１００には固定ネジＳ１でフロントカバー４０Ａを介して固定される。
転写ユニット５０は、操作ハンドル５０１を回転操作して、全ての一次転写ローラ５２（Ｙ）、（Ｍ）、（Ｃ）、（Ｋ）及びテンションローラ５５が感光体ドラム３１から離間した状態（メンテナンス位置）で、本体フレーム１００に対してＹ方向に引き出し又は装着される。
【００３４】
（２．３）本体フレームの被位置決め部
図４に示すように、本体フレーム１００には、一面側（フロント側）に各感光体ユニット３０及び各現像ユニット４０が着脱される開口部１１０が形成されている。
本体フレーム１００の上下方向（図４中  Ｚ方向）における開口部１１０の下方には、各感光体ユニット３０が固定される第１の被位置決め部１０１、各露光ヘッドＬＨが固定される第２の被位置決め部１０２、各現像ユニット４０が固定される第３の被位置決め部１０３が、それぞれ一組として、水平方向（図４中  Ｘ方向）に４か所形成されている。
【００３５】
このように構成される本体フレーム１００に形成された第１の被位置決め部１０１、第２の被位置決め部１０２、第３の被位置決め部１０３の具体的な構成と配置について、図５を参照しながら説明する。
【００３６】
図５に示すように、本体フレーム１００の開口部１１０の下方に設けられた第１の被位置決め部１０１、第２の被位置決め部１０２、第３の被位置決め部１０３は、それぞれ互いに離隔した２点一対の孔部から構成されている（図５中  ハッチングで図示）。
２点一対の孔部は、第１の被位置決め部１０１においては、第１位置決め孔１０１ａ及び第２位置決め孔１０１ｂからなり、第１位置決め孔１０１ａは各感光体ユニット３０のフロントカバー３０Ａに設けられた位置決めピン３０Ａａ（図２参照）が嵌入される円形孔として形成され位置決め基準孔となる。
また、第２位置決め孔１０１ｂは、水平方向（Ｘ方向）に長孔とされ、各感光体ユニット３０のフロントカバー３０Ａに設けられた位置決めピン３０Ａａが嵌挿されて、各感光体ユニット３０の第１位置決め孔１０１ａを中心とした回転移動を規制している。
【００３７】
第２の被位置決め部１０２も同様に、円形孔の第１位置決め孔１０２ａと長孔の第２位置決め孔１０２ｂからなり、露光ヘッドＬＨに設けられた位置決めピンが嵌入される。
また、第３の被位置決め部１０３も同様に、位置決め基準孔としての円形孔の第１位置決め孔１０３ａ、回転移動を規制する長孔の第２位置決め孔１０３ｂからなり、現像ユニット４０のフロントカバー４０Ａに設けられた位置決めピン４０Ａａ（図２参照）が嵌入される。
【００３８】
図５は第１の被位置決め部１０１、第２の被位置決め部１０２、第３の被位置決め部１０３の配置位置の一例も示している。
本実施形態においては、各露光ヘッドＬＨが固定される第２の被位置決め部１０２は、本体フレーム１００の上下方向（Ｚ方向）において、各感光体ユニット３０が固定される第１の被位置決め部１０１及び各現像ユニット４０が固定される第３の被位置決め部１０３の上方（Ｚ方向）に配置されている。
すなわち、感光体ユニット３０の第１の被位置決め部１０１及び現像ユニット４０の第３の被位置決め部１０３は、本体フレーム１００の水平方向（Ｘ方向）において露光ヘッドＬＨの第２の被位置決め部１０２とは重なることなく配置されている。
【００３９】
その結果、露光ヘッドＬＨが本体フレーム１００に位置決め固定された状態で、感光体ユニット３０及び現像ユニット４０が、露光ヘッドＬＨの固定位置の制約を受けることなく、本体フレーム１００の水平方向（Ｘ方向）において、互いに近接して位置決め固定される。
そのために、感光体ユニット３０、露光ヘッドＬＨ、現像ユニット４０からなる各画像形成部が狭い間隔（ピッチｐ）で近接して配置され、画像形成装置１が水平方向（Ｘ方向）においてより小型化される（図７参照）。
【００４０】
図６は本体フレーム１００の水平方向（Ｘ方向）において、感光体ユニット３０の被位置決め部１０１の範囲Ｘ１の一部が露光ヘッドＬＨが固定される第２の被位置決め部１０２の範囲Ｘ２の一部と重なっている状態を示している。
具体的には、感光体ユニット３０の第１の被位置決め部１０１を構成する第２位置決め孔１０１ｂが、Ｘ方向において露光ヘッドＬＨの第２の位置決め部１０２と重なって配置されている。
【００４１】
その結果、本体フレーム１００の水平方向（Ｘ方向）において、露光ヘッドＬＨが固定される第２の被位置決め部１０２とは干渉することなく、感光体ユニット３０の第１の被位置決め部１０１の第１位置決め孔１０１ａと第２位置決め孔１０１ｂとが互いに広い間隔で配置されている。
そのために、感光体ユニット３０を本体フレーム１００の下方に固定する際に、位置決め位置（第１位置決め孔１０１ａ）と回転規制位置（第２位置決め孔１０１ｂ）をより離隔させてガタつきを抑制して固定することができる。
【００４２】
同様に、本体フレーム１００の水平方向（Ｘ方向）において、現像ユニット４０の第３の被位置決め部１０３の範囲Ｘ３の一部が露光ヘッドＬＨが固定される第２の被位置決め部１０２の範囲Ｘ２の一部と重なって配置される場合には、現像ユニット４０の第３の被位置決め部１０３の第１位置決め孔１０３ａと第２位置決め孔１０３ｂとが、より広い間隔で配置され、ガタつきを抑制して固定される。
【００４３】
（３）作用・効果
本実施形態においては、本体フレーム１００の上下方向における開口部１１０の下方に、各感光体ユニット３０が固定される第１の被位置決め部１０１、各露光ヘッドＬＨが固定される第２の被位置決め部１０２、各現像ユニット４０が固定される第３の被位置決め部１０３が、それぞれ一組として、水平方向に４か所形成されている。
各露光ヘッドＬＨが固定される第２の被位置決め部１０２は、本体フレーム１００の上下方向において、各感光体ユニット３０が固定される第１の被位置決め部１０１及び各現像ユニット４０が固定される第３の被位置決め部１０３の上方（Ｚ方向）に配置されている。
【００４４】
そのために、露光ヘッドＬＨが本体フレーム１００に位置決め固定された状態で、感光体ユニット３０及び現像ユニット４０が、露光ヘッドＬＨの固定位置の制約を受けることなく、本体フレーム１００の水平方向（Ｘ方向）において、各画像形成部が狭い間隔（ピッチ）で近接して配置され、画像形成装置１が水平方向（Ｘ方向）においてより小型化される。
【００４５】
また、感光体ユニット３０の第１の被位置決め部１０１を構成する第２位置決め孔１０１ｂが、Ｘ方向において露光ヘッドＬＨの第２の被位置決め部１０２と重なって配置されている。
そのために、本体フレーム１００の水平方向（Ｘ方向）において、露光ヘッドＬＨが固定される第２の被位置決め部１０２とは干渉することなく、感光体ユニット３０の第１の被位置決め部１０１の第１位置決め孔１０１ａと第２位置決め孔１０１ｂとが互いに広い間隔で配置され、感光体ユニット３０を本体フレーム１００の下方に固定する際に、位置決め位置（第１位置決め孔１０１ａ）と回転規制位置（第２位置決め孔１０１ｂ）をより離隔させてガタつきを抑制して固定することができる。
【符号の説明】
【００４６】
１・・・画像形成装置
排出トレイ１ａ 
１０・・・制御装置
２０・・・給紙装置 
３０・・・感光体ユニット
３０Ａ・・・フロントカバー
３０Ａａ・・・位置決めピン
３１・・・感光体ドラム
３２・・・帯電ローラ
４０・・・現像ユニット
４０Ａ・・・フロントカバー
４０Ａａ・・・位置決めピン
４１・・・現像ハウジング
４２・・・現像ローラ
５０・・・転写ユニット
５１・・・中間転写ベルト 
５２・・・一次転写ローラ
６０・・・定着装置
１００・・・本体フレーム
１０１・・・第１の被位置決め部
１０１ａ・・・第１位置決め孔 
１０１ｂ・・・第２位置決め孔 
１０２・・・第２の被位置決め部
１０２ａ・・・第１位置決め孔
１０２ｂ・・・第２位置決め孔
１０３・・・第３の被位置決め部
１０３ａ・・・第１位置決め孔
１０３ｂ・・・第２位置決め孔 
１１０・・・開口部 
ＬＨ・・・露光ヘッド 
【図１】
2015152671.tif 000003
【図２】
2015152671.tif 000004
【図３】
2015152671.tif 000005
【図４】
2015152671.tif 000006
【図５】
2015152671.tif 000007
【図６】
2015152671.tif 000008
【図７】
2015152671.tif 000009